(57)【特許請求の範囲】
【請求項１】
ベッド上の患者が医療従事者を呼び出す際に使用する筐体と、壁面に設けたウォールユニットとをコードによって接続して構成されるナースコール子機であって、
前記筐体は、この筐体内に前記コードを出し入れ自在に収納する第一のコード収納部を備え、前記ウォールユニットは、前記壁面内に前記コードを出し入れ自在に収納する第二のコード収納部とを備え、前記コードは、前記筐体から最も引き出された状態で、前記ベッドの前記患者が寝る平面上の対角線の長さと略同じ長さとなる位置に、前記コードを前記ベッドの柵に結んで固定するために設けられ、前記コードの色味と異ならせたり、前記コードの手触りと異ならせたりしたベッド固定部を形成したことを特徴とするナースコール子機。
【発明の詳細な説明】
【技術分野】
【０００１】
本発明は、患者が呼び出しの操作を行うことによって、医療従事者を呼び出すことができるナースコールシステムに用いられるナースコール子機に関し、特に、壁面に設けたウォールユニットと患者の手元に置かれる呼び出し操作用の筐体とをコードにて接続したナースコール子機に関する。
【背景技術】
【０００２】
一般的に、病院などでは、ナースコールシステムが用いられている。ナースコールシステムは、病院内の患者が医師または看護師のサポートを必要とする際に、患者が呼び出しの操作を行うことによって医者や看護師（以下、これらをまとめて医療従事者と記載する）を呼び出すことができるように成されたシステムである。
【０００３】
多くのナースコールシステムは、病室内のベッド近傍に設置されるナースコール子機と、医療従事者が常駐するナースステーションに設置されるナースコール親機と、病室の出入口付近の廊下側に設置される廊下灯と、通話やデータの送受信に関する制御を行う制御機とを備えて構成されている。また、上述した構成に加えて、医療従事者が携帯するＰＨＳ（Personal Handy phone System）端末などの携帯端末とＰＢＸ（Private Branch Exchange：電話交換機）とを備えたナースコールシステムも提供されている。
【０００４】
ところで、ナースコール子機とナースコール親機とが建物の壁内に埋め込まれたケーブルによって有線にて接続されている場合には、ナースコール子機は、壁面に設けたウォールユニットと患者の手元に置かれ、呼び出しを行うための呼出操作部を備えた筐体とをコードで接続して構成されることが多い。そのため、コードが長過ぎるとコードが床に接触し、そのコードに患者が触れると衛生面などの問題を生じてしまうという問題があった。
【０００５】
このような問題を解決するために、ナースコール子機の筐体内にコードの一部を巻き取って収納する技術が知られている（例えば、特許文献１など）。また、特許文献１に記載の技術を応用すると、壁面に設けたウォールユニットにコードの一部を巻き取って収納する技術も考えられる。
【０００６】
ところで、ナースコール子機の筐体を患者の手元に置く場合に、筐体がベッド下に落ちてしまった場合に、コードが長過ぎると、筐体とウォールユニットとがコードで接続されているだけなので、筐体がベッドから遠く離れた場所に落ちて、患者や医療従事者が筐体を拾うことが困難になってしまうことがあった。そのため、コードを所定の位置でベッド柵などに巻き付けたり、コードの所定の位置をベッド柵などに設けた溝やベッド柵などに取り付けたハンガーに設けた溝に嵌め込んだりして、コードをベッドに固定することが知られている。
【先行技術文献】
【特許文献】
【０００７】
【特許文献１】特開２０１１−１１０３４７号公報
【発明の概要】
【発明が解決しようとする課題】
【０００８】
このように、ナースコール子機の筐体がコードを巻き取って収納する場合には、コードを所定の位置でベッドに固定して、患者の手元の位置が変わっても、コードの巻き取り具合を調節してコードの長さを調整することは可能である。しかしながら、ベッドを移動する場合には、ウォールユニットがコードを巻き取り収納できないため、ウォールユニットからベッドのコードを固定した位置までのコードの長さを調節することができなくなり、コードが長過ぎるとコードが床に接触してしまうという問題があった。また、コードが短過ぎるとコードが引っ張られて、コードが断線したりコードがウォールユニットから脱落したりしてしまうという問題があった。そのため、ベッドを移動する際には、医療従事者はコードのベッドへの固定を解除してから作業を行う必要があった。
【０００９】
一方、ナースコール子機のウォールユニットがコードを巻き取って収納する場合には、コードを所定の位置でベッドに固定して、ベッドが移動しても、コードの巻き取り具合を調節してコードの長さを調整することは可能である。しかしながら、患者の手元の位置が変わった場合には、筐体がコードを巻き取り収納できないため、患者の手元からベッドのコードを固定した位置までのコードの長さを調節することができなくなり、コードが長過ぎるとコードが床に接触してしまうという問題があった。また、コードが短過ぎると患者の手元に筐体を置くことができなくなってしまうという問題があった。そのため、患者の手元の位置が変わる際には、医療従事者はコードのベッドへの固定をやり直す必要があった。
【００１０】
本発明は、このような問題を解決するために成されたものであり、コードを所定の位置でベッドに固定した状態でも、コードが床に接触したり断線／脱落したりせずに、ベッドを移動させたり筐体を移動させたりすることができるようにすることを目的とする。
【課題を解決するための手段】
【００１１】
上述した課題を解決するために、本発明では、ベッド上の患者が医療従事者を呼び出す際に使用する筐体と壁面に設けたウォールユニットとをコードによって接続し、筐体内にコードを出し入れ自在に収納する第一のコード収納部を設け、ウォールユニットにもコードを出し入れ自在に収納する第二のコード収納部を設けて、コードは、筐体から最も引き出された状態で、ベッドの患者が寝る平面上の対角線の長さと略同じ長さとなる位置に、コードをベッドの柵に結んで固定するために設けられ、コードの色味と異ならせたり、前記コードの手触りと異ならせたりしたベッド固定部を形成するようにしている。
【発明の効果】
【００１２】
上記のように構成した本発明によれば、筐体とウォールユニットとを接続するコードはベッド固定部にてベッドに固定され、コードが筐体およびウォールユニットのどちらに対しても出し入れ自在に収納されるので、ベッド固定部から筐体までのコードの長さ、および、ベッド固定部からウォールユニットまでのコードの長さの両方を調整することができるようになる。従って、ベッド固定部にてコードをベッドに固定した状態でも、コードが床に接触したり断線／脱落したりせずに、ベッドを移動させたり筐体を移動させたりすることができる。
【図面の簡単な説明】
【００１３】
【図１】本実施形態によるナースコール子機の構成例を示す図である。
【発明を実施するための形態】
【００１４】
以下、本発明の一実施形態を図面に基づいて説明する。図１は、本実施形態によるナースコール子機の構成例を示す図である。ナースコール子機は、各病室のベッド近傍に設置されており、患者によって使用される。ここで、図１に示すように、ナースコール子機は、筐体１、ウォールユニット２、コード３を備えて構成されている。また、筐体１は、呼出操作部４、第一のコード収納部５、第一の巻き取り操作部６、第一のロックボタン７を備えて構成されている。また、ウォールユニット２は、コード用開口部９、第二のコード収納部１０、第二の巻き取り操作部１１、第二のロックボタン１２を備えて構成されている。また、コード３はベッド固定部８を備えている。
【００１５】
筐体１は、略直方体の形状であり、内部に基板（図示せず）などを内蔵している。また、筐体１の図１中正面の最も面積の広い長方形の面には、呼出操作部４が形成されている。患者がこの呼出操作部４を操作すると、ナースコール子機は内部の基板の電気回路（図示せず）にて呼出信号を生成し、コード３およびウォールユニット２を介して、ナースコール親機（図示せず）へ出力する。ナースコール親機は、ナースコール子機から呼出信号を入力すると報知を行う。ここで、呼出信号には各ナースコール子機を識別するための識別情報が含まれている。これにより、患者は医療従事者を呼び出すことができる。
【００１６】
また、筐体１は、最も面積の広い二つの長方形に挟まれている長手側の二つの側面およびその他の二つの側面を有し、その他の側面の一方に開口を形成している。この開口は、第一のコード収納部５に繋がっており、コード３の先端部分は、筐体１内の基板と電気的に接続されている。また、コード３は、上述した開口から筐体１の外部へ出し入れ自在となる。また、第一のコード収納部５は筐体１に内蔵されている。
【００１７】
ここで、第一の巻き取り操作部６に設けた第一の凹部６ａに指を掛けて、第一の巻き取り操作部６を反時計回りに回すことで、コード３は第一のコード収納部５へ収納される。一方、コード３を引っ張ることで、コード３は第一のコード収納部５から引き出される。また、コード３が引っ張られることで、コード３が第一のコード収納部５から容易に引き出されてしまうため、筐体１に対するコード３の出し入れの状態をロックする第一のロックボタン７が筐体１の長手側の側面の一方に設けられている。第一のロックボタン７を一度押下するとコード３がロックされ、第一のロックボタン７を再度押下するとコード３のロックが解除される。
【００１８】
コード３は、ウォールユニット２に対してベッドを移動する範囲を考慮した十分な長さを有している。すなわち、コード３の長さは、病室内でウォールユニット２からベッドを最も離れた位置に移動させた場合でも、コード３が伸びきらないような長さである。
【００１９】
ベッド固定部８は、コード３をベッド柵に固定するためのものである。また、ベッド固定部８は、コード３に設けられており、筐体１からコード３を最も引き出した場合に、筐体１からベッドの長さと略同じ長さとなる位置に設けられている。ここで、ベッドの長さとは、ベッド上の丈の長さであっても良いし、ベッド上の幅の長さであっても良いし、ベッド上の対角線の長さであっても良い。すなわち、ベッドの長さは、筐体１の位置が変わる範囲に応じて決まる。
【００２０】
医療従事者は、ベッド固定部８をベッド柵に結びつけたり、ベッド柵に設けられた溝やベッド柵に取り付けられたハンガーに設けられた溝にベッド固定部８を嵌め込んだりして、コード３をベッド柵に固定する。このハンガーは、ナースコール子機の筐体を把持したり、小物などを入れた袋を把持したりするためのものである。
【００２１】
また、ベッド固定部８をコード３と明確に区別することができるように、ベッド固定部８の色味をコード３の色味と異ならせたり、ベッド固定部８の手触りをコード３の手触りと異ならせたりすることが好ましい。なお、本実施形態では、ベッド固定部８をベッド柵に取り付けるようにしているが、これに限定されない。例えば、ベッド固定部８をベッド柵以外の部分に取り付けるようにしても良い。
【００２２】
ウォールユニット２は、壁面に取り付けられており、内部に基板などを収容している。また、ウォールユニット２には、突出したコード用開口部９が形成されており、コード用開口部９の図１中下方には、開口が形成されている。この開口は、第二のコード収納部１０に繋がっており、コード３の他端部分は、ウォールユニット２内の基板と電気的に接続されている。また、コード３は、上述した開口からウォールユニット２の外部へ出し入れ自在となる。また、第二のコード収納部１０はウォールユニット２に内蔵されている。
【００２３】
ここで、第二の巻き取り操作部１１に設けた第二の凹部１１ａに指を掛けて、第二の巻き取り操作部１１を時計回りに回すことで、コード３は第二のコード収納部１０へ収納される。一方、コード３を引っ張ることで、コード３は第二のコード収納部１０から引き出される。また、コード３が引っ張られることで、コード３が第二のコード収納部１０から容易に引き出されてしまうため、ウォールユニット２に対するコード３の出し入れの状態をロックする第二のロックボタン１２がウォールユニット２に設けられている。第二のロックボタン１２を一度押下するとコード３がロックされ、第二のロックボタン１２を再度押下するとコード３のロックが解除される。
【００２４】
このように構成されたナースコール子機１をベッド上に設置する場合、まず、筐体１に設けた第一のロックボタン７およびウォールユニット２に設けた第二のロックボタン１２によるコード３のロックを解除した状態で、ベッド固定部８をベッド柵に固定する。このとき、ウォールユニット２からベッド柵までの距離に対して、ウォールユニット２から引き出されているコード３の長さが不足している場合には、コード３を引っ張ってウォールユニット２から引き出す必要がある。一方、ウォールユニット２からベッド柵までの距離に対して、ウォールユニット２から引き出されているコード３の長さが長過ぎる場合には、第二の巻き取り操作部１１を時計回りに回して、コード３を第二のコード収納部１０へ収納させる。
【００２５】
また、ベッド上に筐体１を置く場合に、コード３の長さが不足している場合には、コード３を引っ張って筐体１から引き出す必要がある。一方、筐体１から引き出されているコード３の長さが長過ぎる場合には、第一の巻き取り操作部６を反時計回りに回して、コード３を第一のコード収納部５へ収納させる。
【００２６】
そして、筐体１およびウォールユニット２から引き出されているコード３の長さがちょうど良くなった場合には、筐体１に設けられた第一のロックボタン７を押下するとともに、ウォールユニット２に設けられた第二のロックボタン１２を押下することで、コード３が容易に出し入れされることを防止する。
【００２７】
以上詳しく説明したように、本実施形態によれば、ベッド上の患者が医療従事者を呼び出す際に使用する筐体１と壁面に設けたウォールユニット２とをコード３によって接続し、筐体１内にコード３を出し入れ自在に収納する第一のコード収納部５を設け、ウォールユニット２にもコード３を出し入れ自在に収納する第二のコード収納部１０を設け、コード３は、筐体１から最も引き出された状態で、筐体１からベッドの長さと略同じ長さとなる位置に、コード３をベッドに固定するためのベッド固定部８を形成するようにしている。
【００２８】
これにより、筐体１とウォールユニット２とを接続するコード３がベッド固定部８にてベッドに固定され、コード３が筐体１およびウォールユニット２のどちらに対しても出し入れ自在に収納されるので、ベッド固定部８から筐体１までのコードの長さ、および、ベッド固定部８からウォールユニット２までのコード３の長さの両方を調整することができるようになる。従って、ベッド固定部８にてコード３をベッドに固定した状態でも、コード３が床に接触したり断線／脱落したりせずに、ベッドを移動させたり筐体１を移動させたりすることができる。
【００２９】
なお、前述した実施形態では、第一の巻き取り操作部６を呼出操作部４と同一の面に設け、反時計回りに第一の巻き取り操作部６を回すことでコード３を巻き取るようにしているが、これに限定されない。例えば、第一の巻き取り操作部６を呼出操作部４と反対側の面に設けるようにしても良いし、時計回りに第一の巻き取り操作部６を回すことでコード３を巻き取るようにしても良い。
【００３０】
同様に、第二の巻き取り操作部１１をコード用開口部９の右側に設け、時計回りに第二の巻き取り操作部１１を回すことでコード３を巻き取るようにしているが、これに限定されない。例えば、第二の巻き取り操作部１１をコード用開口部９の左側に設け、反時計回りに第二の巻き取り操作部１１を回すことでコード３を巻き取るようにしても良い。
【００３１】
また、前述した実施形態では、第一の巻き取り操作部６を筐体１に設け、第二の巻き取り操作部１１をウォールユニット２に設けるようにしているが、これに限定されない。例えば、その他の周知のコード収納機構を用いるようにしても良い。具体的には、筐体１やウォールユニット２に設けたコード巻き取りボタンを操作することで、コード３を一挙に第一のコード収納部５や第二のコード収納部１０へ収納させる周知の方法を用いるようにしても良い。すなわち、第一の巻き取り操作部６や第二の巻き取り操作部１１は必須の構成要素ではない。
【００３２】
また、前述した実施形態では、第一のロックボタン７を筐体１に設け、第二のロックボタン１２をウォールユニット２に設けるようにしているが、これに限定されない。例えば、第一のロックボタン７や第二のロックボタン１２を設けないようにしても良い。
【００３３】
また、前述した実施形態では、ナースコール子機は、呼び出しを行うためだけに用いられているが、これに限定されない。例えば、ナースコール子機にマイクおよびスピーカーを設けるようにしても良い。これにより、患者がナースコール子機により呼び出しを行った後に、患者は、ナースコール子機に設けたマイクおよびスピーカーを用いて、医療従事者と会話することができるようになる。
【００３４】
また、前述した実施形態では、コード３を筐体１から最も引き出した状態で、筐体１からベッド固定部８までの長さがベッドの長さと略同一となるようにベッド固定部８を設けているが、これに限定されない。例えば、その長さをベッドの長さよりもベッドの高さ分だけ長くするようにしても良い。
【００３５】
その他、上記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【符号の説明】
【００３６】
１    筐体
２    ウォールユニット
３    コード
４    呼出操作部
５    第一のコード収納部
６    第一の巻き取り操作部
７    第一のロックボタン
８    ベッド固定部
９    コード用開口部
１０    第二のコード収納部
１１    第二の巻き取り操作部
１２    第二のロックボタン
【図１】
0005995231.tif 000002